(57)【要約】【課題】プラント配管等の継手部分からのガス漏洩を簡便に検知する。【解決手段】特定のガスと反応し、発色又は変色する染料、顔料等からなる検知剤を基材に塗布又は含浸させ、この基材を例えば管継手等ガス漏洩が予想される個所に巻きつけておき、配管からの漏洩が発生した場合、基材の変色によりガス漏洩の発生個所を、目視等により確認するようにする。インジケータは、漏洩が生じた場合に漏洩物質と接触、反応すると変色する化学組成を持つ染料、顔料等の検知剤又はｐＨ指示剤を基材に塗布または含浸させたものを使用する。【選択図】        図１
2004251657.tif 000002
【特許請求の範囲】
【請求項１】
特定のガスと反応し発色又は変色する検知剤を基材に塗布し、この基材及び検知剤とからなるインジケータをガス漏洩が予想される個所に巻きつけておき、配管からの漏洩が発生した場合、基材の変色によりガス漏洩の発生個所を確認するようにした、配管、配管接続部、継手接合部、反応容器等からの流体の漏洩個所検知方法。
【請求項２】
検知剤を基材としての不透過性透明フィルムの裏面に塗布し、この基材の裏面をガス漏洩の発生個所に当接させるようにした、請求項１に記載の漏洩個所検知方法に用いるインジケータ。
【請求項３】
検知剤を含浸させた基材の表面に、不透過性透明フィルムを積層させ、この基材の裏面をガス漏洩の発生個所に当接させるようにした、請求項１に記載の漏洩個所検知方法に用いるインジケータ。
【請求項４】
基材は紙からなる、請求項３に記載のインジケータ。
【請求項５】
基材は不織布からなる、請求項３に記載のインジケータ。
【請求項６】
基材は合成樹脂製薄膜からなる、請求項３に記載のインジケータ。
【請求項７】
検知剤としてインジゴを用いた、請求項２乃至６の内１項に記載のインジケータ。
【請求項８】
検知剤としてアントラキノン系染料を用いた、請求項２乃至６の内１項に記載のインジケータ。
【請求項９】
検知剤としてｐＨ指示薬を用いた、請求項２乃至６の内１項に記載のインジケータ。
【請求項１０】
基材の裏面に接着固定用の粘着剤を付着させた、請求項２乃至８の内１項に記載のインジケータ。
【発明の詳細な説明】
【０００１】
【発明の属する技術分野】
この発明は、プラント配管等流体の流通経路から流体が漏洩した際に、配管、配管接続部、継手接合部、反応容器等に予め巻きつけたインジケータの変色により、漏洩個所を特定する検知方法に関する。この検知方法の用途として、プラントのメンテナンス作業終了後数時間乃至数日間の、比較的短期間に無漏洩の確認のために用いるものと、数ヶ月以上のプラント稼動中に、パッキングの劣化その他の原因によって発生する漏洩を早期に検知するためのものとがある。
【０００２】
【従来の技術】
従来、プラント配管等流体の流通経路では、フランジパッキンの劣化又は破損等により管継手部分その他からの漏洩が起きた場合、目視によって漏洩個所を発見するか、特にガスの漏洩に関してはセンサによって漏洩個所を探知していた。
【０００３】
【発明が解決しようとする課題】
プラント配管に流通させる流体がガスの場合、漏洩しそうな個所の目視点検では漏洩個所の発見は難しく、プラント内適所に設けられたセンサに頼っていたが、センサによる警報は単にガス漏洩が発生していることを報知するだけで、漏洩個所の特定までには至らない。従って作業者はセンサをさらに動かして漏洩個所をつき止める必要があり、労力を要するばかりでなく、漏洩ガスの種類によっては危険を伴う作業が要求されていた。
【０００４】
【課題を解決するための手段】
そこでこの発明では、特定のガスと反応し、発色又は変色する染料、顔料等からなる検知剤を基材に塗布または含浸させ、この基材を例えば管継手等ガス漏洩が予想される配管、配管接続部、継手接合部、反応容器等の所要個所に巻きつけておき、配管等からの漏洩が発生した場合、基材の変色によりガス漏洩の発生個所を、目視等により確認するようにする。
【０００５】
数ｐｐｍ程度の低濃度の漏洩ガスを短期間で検知するために、漏洩個所の表面を覆う透明フィルムの裏面に直接染料を塗布して、微小量のガス漏洩で染料が変色するのを，透明フィルムの上から目視できるようにする。また、数百ｐｐｍ以上の高濃度のガス漏洩の検知には、紙、不織布、合成樹脂製薄膜の通気性，厚さ等を適宜選択し，粘着剤等を塗布し含浸させたものを、不透過性透明フィルムで積層させ被覆する。このフィルム被覆により，外部からの紫外線、大気中の物質による表面劣化を防ぎながら、長期間に亘ってガスの漏洩を検知することができる。
【０００６】
インジケータは、漏洩が生じた場合に漏洩物質と接触、反応すると変色する化学組成を持つ染料、顔料等の検知剤を基材に塗布したものを使用する。例えば、オゾンなど酸化性物質と反応するインジケータは、原則として有機系物質で、インジゴ、アントラキノン系染料等がある。インジゴ染料として、例えばインジゴカルミンを使用した場合、オゾンに反応すると、青色から無色に脱色される。アントラキノンを使用した場合、茶褐色から黄色に変色し、さらに無色へと脱色される。このようにオゾンと反応したことが、目視で容易に識別することができる。
【０００７】
その他、この発明のインジケータに用いる染料・顔料には、ジフェニルメタン系色素（オーラミン０：黄色）、トリフェニルメタン系色素（マラカイトグリーン：緑色）、スチルベン色素（蛍光塗料：クリソフェニンＧ）、アゾメチン色素、アントシアニン色素（紫色、赤色）、アクリジン染料、キサンチン染料、アジン染料、オキサジン染料、チアジン染料（メチレンブルー：青色）、カロテノイド系（黄色、赤色）、フラボン系、アゾ染料等があり、オゾンなど酸化性物質との反応により脱色されるため、使用が可能である。
【０００８】
酸性ガス（例えば塩化水素、フッ化水素、炭酸ガス等）、アルカリ性ガス（例えばアンモニアガス）は、上記染料の代わりにＰＨ指示薬を使用することにより、検知が可能である。指示薬は、検知すべき対象物質が漏洩したとき、ｐＨ変化により変色する指示薬を選定する。指示薬には、フェノールフタレイン（無色からアルカリで紅色）、メチルオレンジ（ｐＨ３．１：赤からｐＨ４：黄色）、メチルレッド（ｐＨ４．４：赤からｐＨ６．２：黄色）、ブロムチモルブルー（ｐＨ６．０：黄色からｐＨ７．６青色）等がある。
【０００９】
基材には、多孔質でインジケータ裏面、すなはち付着させた配管面から、特定物質が漏洩するのを検知するような材料で構成する。基材の材料としては、紙、不織布、合成樹脂製薄膜等が適宜用いられる。基材の材質、メッシュ等を適宜選択することにより、対象とする漏洩物質（ガス）の浸透性を制御し、どの程度の漏洩で発色するかを調節することができる。また、基材の裏面に付着固定用の粘着剤を付着させ、インジケータを配管等に付着させる作業性を向上させるとともに、この粘着剤の厚さを加減することによって、漏洩物質の浸透性、基材の反応性を抑制する。
【００１０】
基材に反応物質を塗布した後、裏面以外からの漏洩物質の侵入によってインジケータが変色してしまうのを防止するために、基材そのものを不透過性透明フィルムで作成するか、又は反応物質の表面を透明なフィルムで被覆する。被覆するフィルムは環境中の妨害物質の浸透、紫外線、可視光線による基材の劣化を防ぐものとし、インジケータによる長期間の漏洩監視が可能となる。例えばインジケータが配管からのオゾン漏洩検知に用いられるものであれば、自然環境中に含まれるオキシダントや微量のオゾン等妨害物質の影響を受けずに、配管からのオゾン漏洩のみの検知が可能となる。
【００１１】
漏洩を検知する対象物質は、オゾン、塩素、二酸化塩素などの酸化性物質をはじめ種々のものがあり、これらは特定物質と反応すると変色するものがあり、この特定物質を基材に塗布することによって、種々の漏洩物質の検知に役立てることができる。オゾンは染料、顔料の発色団に含まれる２重結合に作用し、切断することで脱色する。塩素、二酸化塩素は同様に２重結合に塩素が付加することで変色、脱色する。これらの場合、基材、表面被覆フィルム、裏面粘着剤等は材質、着色を含めて、漏洩の早期検知に最も適当なものを選択することができる。
【００１２】
【発明の実施態様】
この発明の検知方法に用いるインジケータ１の一実施例を図１に示す。基材２は不透過性透明フィルムよりなり、その裏面に検知剤としての染料３を塗布し、この基材の裏面をガス漏洩の発生個所に当接させる。また、インジケータ１の他の実施例を図２に示す。基材２は多孔質の柔軟性シートで、紙、不織布、合成樹脂製薄膜等が適宜選択される。この基材２に検知しようとする漏洩ガスと反応して変色する染料３を予め染み込ませておく。検知ガスがオゾンであれば、青色から白色に変色するインジゴまたは、茶褐色から黄色に変色するアントラキノンが用いられる。
【００１３】
漏洩ガス、例えばオゾンガスを検知しようとする面以外から、このガスと同種類のガス、例えば空中を浮遊するオゾンによって基材２が反応し、それによって漏洩ガスの検知が妨げられるのを防止するために、基材２の検知しようとする面以外の、図示では上面及び側面を不透過性透明フィルム４で被覆する。このフィルム４に更に他の機能、例えば紫外線をカットする機能を持たせることもできる。これにより基材２が紙等経年変化により変色しやすい材料であっても、より長期間の使用に耐える。
【００１４】
プラント配管のガス漏洩が懸念される個所に、インジケータ１を密接に貼付けるために、基材２の下面に糊等の粘着剤５を付着させ、使用前は保護紙等で覆っておく。粘着剤５は基材２の要部に付着させ、漏洩ガスが基材２で検知されるのを妨げないようにする。また、この粘着剤５層の厚さを加減することによって、漏洩物質の浸透性、基材の反応性を抑制することも可能である。
【００１５】
このように構成したインジケータ１を、図３に示すようにプラント配管の中で最も漏洩ガス発生の予想される、管継手のフランジ６のパッキング７が露出する表面に、基材２の下面が当接するように、粘着剤５により密に接着させて、この部分のガス漏洩の検知に供する。インジケータ１は通常の粘着テープのように，長尺のものを芯材に予め巻きつけたものを適宜繰り出して切断し、プラント配管適所に接着させるようにすればよい。
【００１６】
図４にはプラント内の別の管継手部分８、８′の継手部分にインジケータ１を巻きつけた実施態様を示す。このインジケータ１は、図５に示すように容器９，のネジ式蓋９′との合わせ部分、又は図７に示すように継手１０のネジ込み部分表面に貼り付けて、これら接合部分からの漏洩ガスの検知に用いることも出来、その用途は広い。
【図面の簡単な説明】
【図１】この発明の検知方法に用いるインジケータの一実施例の見取り図である。
【図２】この発明の検知方法に用いるインジケータの他の実施例の見取り図である。
【図３】この発明のインジケータを、プラント配管等の管継手部分に接着した状態の側面図である。
【図４】この発明のインジケータを、プラント配管等の他の管継手部分に接着した状態の側面図である。
【図５】この発明のインジケータを、容器の蓋部分に接着した状態の見取り図である。
【図６】この発明のインジケータを、継手部分に接着した状態の側断面図である。
【符号の説明】
１  インジケータ
２  基材
３  染料
４  フィルム
５  粘着剤
６  フランジ
７  パッキング
８、８′  管
９  容器
９′  蓋
１０  継手
【図１】
2004251657.tif 000003
【図２】
2004251657.tif 000004
【図３】
2004251657.tif 000005
【図４】
2004251657.tif 000006
【図５】
2004251657.tif 000007
【図６】
2004251657.tif 000008